【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
外部装置が送信するパケットを受信する情報処理装置のコンピュータに、
受信したパケットを搬送する電波の受信レベルに関する第１画面を表示する第１の表示制御工程と、
前記第１画面を介したユーザ操作の受け付けに従って、前記第１画面が表示された後に前記情報処理装置が受信したパケットに関する第１の情報を取得する第１の取得工程と、
前記第１の取得工程で前記第１の情報を取得した後に、前記受信レベルに関する第２画面を表示する第２の表示制御工程と、
前記第２画面を介したユーザ操作の受け付けに従って、前記情報処理装置において前記第２の画面が表示された後に受信したパケットに関する第２の情報を取得する第２の取得工程と、
少なくとも前記第１の情報と第２の情報に基づいて、前記受信レベルの推定に供するデータを生成する生成工程と、
を実行させることを特徴とするプログラム。
【請求項２】
前記生成工程で生成されたデータを所定の領域に格納する格納工程と、
前記格納されたデータと、前記情報処理装置が外部デバイスから受信したパケットを搬送する電波の受信電力とに基づき、前記外部デバイスにログイン要求を送信するかどうかを異ならせる制御工程を、
前記コンピュータに更に実行させることを特徴とする請求項１に記載のプログラム。
【請求項３】
前記情報処理装置が受信するパケットは、Ｂｌｕｅｔｏｏｔｈ  Ｌｏｗ  Ｅｎｅｒｇｙ規格に基づくパケットであることを特徴とする請求項１または２に記載のプログラム。
【請求項４】
前記第１の画面には、前記外部装置と前記情報処理装置を第１の位置関係に位置させることを促す情報が含まれており、前記第２の画面には、前記外部装置と前記情報処理装置を前記第１の位置関係とは異なる第２の位置関係に位置させることを促す情報が含まれていることを特徴とする請求項１乃至３のいずれか１項に記載のプログラム。
【請求項５】
前記受信レベルの推定に供するデータは閾値であり、当該閾値は、少なくとも前記第１の情報および前記第２の情報に基づいて導出された方程式に基づき生成されることを特徴とする請求項１乃至４のいずれか１項に記載のプログラム。
【請求項６】
前記方程式は、距離を入力として、当該距離に対応する電波強度を推定する一次式であり、
前記生成工程では、前記一次式の傾きが所定の閾値以上であるか否かに基づいて、前記一次式の入力値を異ならせ、当該入力値と、前記一次式とに基づき外部デバイスと前記情報処理装置が近接状態にあると見做せる受信レベルを示す閾値を生成することを特徴とする請求項５に記載のプログラム。
【請求項７】
外部装置が送信するパケットを受信する情報処理装置が実行する情報処理方法であって、
受信したパケットを搬送する電波の受信レベルに関する第１画面を表示する第１の表示制御工程と、
前記第１画面を介したユーザ操作の受け付けに従って、前記第１画面が表示された後に前記情報処理装置が受信したパケットに関する第１の情報を取得する第１の取得工程と、
前記第１の取得工程で前記第１の情報を取得した後に、前記受信レベルに関する第２画面を表示する第２の表示制御工程と、
前記第２画面を介したユーザ操作の受け付けに従って、前記情報処理装置において前記第２の画面が表示された後に受信したパケットに関する第２の情報を取得する第２の取得工程と、
少なくとも前記第１の情報と第２の情報に基づいて、前記受信レベルの推定に供するデータを生成する生成工程と、
を含むことを特徴とする情報処理方法。
【請求項８】
前記生成工程で生成されたデータを所定の領域に格納する格納工程と、
前記格納されたデータと、前記情報処理装置が外部デバイスから受信したパケットを搬送する電波の受信電力とに基づき、前記外部デバイスにログイン要求を送信するかどうかを異ならせる制御工程を、
更に含むことを特徴とする請求項７に記載の情報処理方法。
【請求項９】
前記情報処理装置が受信するパケットは、Ｂｌｕｅｔｏｏｔｈ  Ｌｏｗ  Ｅｎｅｒｇｙ規格に基づくパケットであることを特徴とする請求項７または８に記載の情報処理方法。
【請求項１０】
前記第１の画面には、前記外部装置と前記情報処理装置を第１の位置関係に位置させることを促す情報が含まれており、前記第２の画面には、前記外部装置と前記情報処理装置を前記第１の位置関係とは異なる第２の位置関係に位置させることを促す情報が含まれていることを特徴とする請求項７乃至９のいずれか１項に記載の情報処理方法。
【請求項１１】
前記受信レベルの推定に供するデータは閾値であり、当該閾値は、少なくとも前記第１の情報および前記第２の情報に基づいて導出された方程式に基づき生成されることを特徴とする請求項７乃至１０のいずれか１項に記載の情報処理方法。
【請求項１２】
前記方程式は、距離を入力として、当該距離に対応する電波強度を推定する一次式であり、
前記生成工程では、前記一次式の傾きが所定の閾値以上であるか否かに基づいて、前記一次式の入力値を異ならせ、当該入力値と、前記一次式とに基づき外部デバイスと前記情報処理装置が近接状態にあると見做せる受信レベルを示す閾値を生成することを特徴とする請求項１１に記載の情報処理方法。
【請求項１３】
外部装置が送信するパケットを受信する情報処理装置であって、
受信したパケットを搬送する電波の受信レベルに関する第１画面を表示する第１の表示制御手段と、
前記第１画面を介したユーザ操作の受け付けに従って、前記第１画面が表示された後に前記情報処理装置が受信したパケットに関する第１の情報を取得する第１の取得手段と、
前記第１の取得手段で前記第１の情報を取得した後に、前記受信レベルに関する第２画面を表示する第２の表示制御手段と、
前記第２画面を介したユーザ操作の受け付けに従って、前記情報処理装置において前記第２の画面が表示された後に受信したパケットに関する第２の情報を取得する第２の取得手段と、
少なくとも前記第１の情報と第２の情報に基づいて、前記受信レベルの推定に供するデータを生成する生成手段と、
を有することを特徴とする情報処理装置。
【手続補正２】
【補正対象書類名】明細書
【補正対象項目名】発明の名称
【補正方法】変更
【補正の内容】
【発明の名称】プログラム、情報処理方法及び情報処理装置
【手続補正３】
【補正対象書類名】明細書
【補正対象項目名】０００１
【補正方法】変更
【補正の内容】
【０００１】
本発明は、プログラム、情報処理方法及び情報処理装置に関する。
【手続補正４】
【補正対象書類名】明細書
【補正対象項目名】０００５
【補正方法】変更
【補正の内容】
【０００５】
本発明の１つの側面としてのプログラムは、プログラムであって、外部装置が送信するパケットを受信する情報処理装置のコンピュータに、受信したパケットを搬送する電波の受信レベルに関する第１画面を表示する第１の表示制御工程と、前記第１画面を介したユーザ操作の受け付けに従って、前記第１画面が表示された後に前記情報処理装置が受信したパケットに関する第１の情報を取得する第１の取得工程と、前記第１の取得工程で前記第１の情報を取得した後に、前記受信レベルに関する第２画面を表示する第２の表示制御工程と、前記第２画面を介したユーザ操作の受け付けに従って、前記情報処理装置において前記第２の画面が表示された後に受信したパケットに関する第２の情報を取得する第２の取得工程と、少なくとも前記第１の情報と第２の情報に基づいて、前記受信レベルの推定に供するデータを生成する生成工程と、を実行させることを特徴とする。